(57)【要約】【課題】  絶縁樹脂で形成されたハウジングと、ハウジングに装着された端子台と、絶縁樹脂で形成され端子台の結線部近傍に嵌装される保護キャップを備えたモジュラジャックにおいて、端子台から保護キャップを容易に取り外しうる工具を提供する。【解決手段】  保護キャップ３が端子台２に嵌装された状態で保護キャップに装着され、保護キャップ３と端子台２の係合部の係合を解除させるように、保護キャップ３側の側壁３２に当接し、側壁３２の係合部近傍を弾性変形させるための傾斜面（当接部）５２ａを備えている。【選択図】図９
2006210076.tif 000002
【特許請求の範囲】
【請求項１】
絶縁樹脂で形成されたハウジングと、ハウジングに装着された端子台と、絶縁樹脂で形成され端子台の結線部近傍に嵌装される保護キャップを備えたモジュラジャックの保護キャップ取り外し工具であって、
保護キャップが端子台に嵌装された状態で前記保護キャップに装着され、
前記保護キャップと前記端子台の係合部の係合を解除させるように、前記保護キャップ側の側壁に当接し、前記側壁の係合部近傍を弾性変形させるための当接部を備えたことを特徴とするモジュラジャックの保護キャップ取り外し工具。
【請求項２】
前記保護キャップの天面に対向する天井面、前記天井面から突設され、前記保護キャップの側壁に対向するように形成された一対の側壁を備え、
前記当接部は、前記一対の側壁の対向面に形成され、前記保護キャップの側壁に形成された係合部と当接する傾斜面であることを特徴とする請求項１に記載のモジュラジャックの保護キャップ取り外し工具。
【請求項３】
前記天井面から突設され、前記保護キャップの前端面に当接される前壁をさらに備え、前記保護キャップを前記モジュラジャックの端子台から取り外した後、前記保護キャップを前記天井面を前記前壁とは反対側にスライドさせることによってのみ取り外し可能としたことを特徴とする請求項２に記載のモジュラジャックの保護キャップ取り外し工具。
【請求項４】
中心軸により軸支されると共に、正面視略対称に配置された一対のクリップ部材と、前記各クリップ部材の先端部を互いに当接する方向に付勢するばねを備え、
前記当接部は、前記クリップ部材の先端部近傍に形成された係合部であることを特徴とする請求項１に記載のモジュラジャックの保護キャップ取り外し工具。
【請求項５】
略Ｕ状断面を有し、前記当接部は、略Ｕ状を成す一対の脚の先端の内周面が外周面よりも突出するように、その先端に形成された傾斜面であることを特徴とする請求項１に記載のモジュラジャックの保護キャップ取り外し工具。
【発明の詳細な説明】
【技術分野】
【０００１】
本発明は、モジュラジャックの保護キャップを取り外すための工具に関する。
【背景技術】
【０００２】
例えばＬＡＮケーブルなどの情報通信用のツイストペアケーブル同士を接続するために、例えば、特許文献１に示されたようなモジュラジャックが使用されている。そのようなモジュラジャックは、絶縁樹脂で形成されたハウジングと、ハウジングに装着された端子台と、絶縁樹脂で形成され端子台の結線部近傍に嵌装される保護キャップで構成されている。
【０００３】
そのようなモジュラジャックは、保護キャップが端子台に係合された状態でメーカから出荷される。そのため、建築現場などにおいて結線作業を行う際、最初に保護キャップを端子台から取り外さなければならない。また、一旦モジュラジャックにツイストペアケーブルの各電線をそれぞれ結線した後、結線ミスが発見され、結線作業をやり直さなければならない場合もある。ところが、従来のモジュラジャックでは、保護キャップの操作部は、その本体部の表面及び側壁の側面からほとんど突出しておらず、操作部が非常に小さいので、操作性が悪いという問題点を有していた。そのため、端子台から保護キャップを外す際、比較的大きな力を操作部に加えないと端子台の係合爪と保護キャップの係合孔との係合を解除することができないという問題を有していた。
【特許文献１】特開２００４−３１９２０７号公報
【発明の開示】
【発明が解決しようとする課題】
【０００４】
本発明は、上記従来例の問題を解決するためになされたものであり、上記モジュラジャックにおいて、安価で、かつ、簡単に保護キャップを端子台から取り外すことが可能な工具を提供することを目的とする。
【課題を解決するための手段】
【０００５】
上記目的を達成するために請求項１の発明は、絶縁樹脂で形成されたハウジングと、ハウジングに装着された端子台と、絶縁樹脂で形成され端子台の結線部近傍に嵌装される保護キャップを備えたモジュラジャックの保護キャップ取り外し工具であって、保護キャップが端子台に嵌装された状態で前記保護キャップに装着され、前記保護キャップと前記端子台の係合部の係合を解除させるように、前記保護キャップ側の側壁に当接し、前記側壁の係合部近傍を弾性変形させるための当接部を備えたことを特徴とする。
【０００６】
請求項２の発明は、請求項１に記載のモジュラジャックの保護キャップ取り外し工具において、前記保護キャップの天面に対向する天井面、前記天井面から突設され、前記保護キャップの側壁に対向するように形成された一対の側壁を備え、前記当接部は、前記一対の側壁の対向面に形成され、前記保護キャップの側壁に形成された係合部と当接する傾斜面であることを特徴とする。
【０００７】
請求項３の発明は、請求項２に記載のモジュラジャックの保護キャップ取り外し工具において、前記天井面から突設され、前記保護キャップの前端面に当接される前壁をさらに備え、前記保護キャップを前記モジュラジャックの端子台から取り外した後、前記保護キャップを前記天井面を前記前壁とは反対側にスライドさせることによってのみ取り外し可能としたことを特徴とする。
【０００８】
請求項４の発明は、請求項１に記載のモジュラジャックの保護キャップ取り外し工具において、中心軸により軸支されると共に、正面視略対称に配置された一対のクリップ部材と、前記各クリップ部材の先端部を互いに当接する方向に付勢するばねを備え、前記当接部は、前記クリップ部材の先端部近傍に形成された係合部であることを特徴とする。
【０００９】
請求項５の発明は、請求項１に記載のモジュラジャックの保護キャップ取り外し工具において、略Ｕ状断面を有し、前記当接部は、略Ｕ状を成す一対の脚の先端の内周面が外周面よりも突出するように、その先端に形成された傾斜面であることを特徴とする。
【発明の効果】
【００１０】
請求項１の発明によれば、モジュラジャックの保護キャップ取り外し工具は、保護キャップが端子台に嵌装された状態で保護キャップに装着され、その当接部が保護キャップと端子台の係合部の係合を解除させるように、保護キャップ側の側壁に当接し、側壁の係合部近傍を弾性変形させるので、比較的小さな力で保護キャップと端子台の係合部の係合を解除することができる。
【００１１】
請求項２の発明によれば、保護キャップ取り外し工具は、保護キャップの天面に対向する天井面と、天井面から突設され、保護キャップの側壁に対向するように形成された一対の側壁を備え、当接部は、一対の側壁の対向面に形成され、保護キャップの側壁に形成された係合部と当接する傾斜面であるので、保護キャップに装着されることにより、保護キャップの側壁に形成された係合部が側壁の係合部近傍を弾性変形させ、保護キャップと端子台の係合部の係合を容易に解除させることができる。
【００１２】
請求項３の発明によれば、モジュラジャックの保護キャップ取り外し工具は、天井面から突設され、保護キャップの前端面に当接される前壁をさらに備え、保護キャップをモジュラジャックの端子台から取り外した後、保護キャップを、天井面を前壁とは反対側にスライドさせることによってのみ取り外し可能としたので、保護キャップ取り外し工具を保護キャップに装着させた状態で、保護キャップを保護キャップ取り外し工具の天井面に対して垂直方向に引っ張っても保護キャップと保護キャップ取り外し工具との装着状態を解除することはできない。その結果、保護キャップの取り外し作業の際、保護キャップと保護キャップ取り外し工具との装着状態が解除されて、保護キャップの取り外し作業を失敗することを防止することができる。
【００１３】
請求項４の発明によれば、モジュラジャックの保護キャップ取り外し工具をクリップ状とし、中心軸により軸支されると共に、正面視略対称に配置された一対のクリップ部材と、各クリップ部材の先端部を互いに当接する方向に付勢するばねを備え、当接部として、クリップ部材の先端部近傍に形成された係合部としているので、クリップ状の保護キャップ取り外し工具を保護キャップに換装させるだけで、側壁の係合部近傍を弾性変形させることができ、比較的小さな力で保護キャップと端子台の係合部の係合を解除することができる。
【００１４】
請求項５の発明によれば、モジュラジャックの保護キャップ取り外し工具は、略Ｕ状断面を有し、当接部を、略Ｕ状を成す一対の脚の先端の内周面が外周面よりも突出するようにその先端に形成された傾斜面としているので、保護キャップ取り外し工具をモジュラジャックの保護キャップの反対側からその側面に沿って当接させ、略くさび状をなす当接部を保護キャップと端子台の係合部の間に進入させることができる。その結果、側壁の係合部近傍を弾性変形させることができ、比較的小さな力で保護キャップと端子台の係合部の係合を解除することができる。
【発明を実施するための最良の形態】
【００１５】
始めに、ＬＡＮケーブルなどの情報通信用のツイストペアケーブル同士を接続するために使用されるモジュラジャックの構成について、図１〜図３を参照しつつ説明する。
【００１６】
モジュラジャック１０は、絶縁樹脂で形成されたハウジング１と、ハウジング１の内部に装着された端子台２と、絶縁樹脂で形成され端子台２の結線部近傍に嵌装される保護キャップ３を備えている。ハウジング１の前側には、ツイストペアケーブルに接続されたモジュラプラグ（図示せず）が挿入されるプラグ挿入口１１ａが形成されている。端子台２は、ハウジング１の内部で、かつ、プラグ挿入口１１ａの内側に装着されている。また端子台２上には、モジュラプラグの接触子に接触可能なように複数本（例えば８本）の線状コンタクト１３が配列されると共に、各コンタクト１３にそれぞれ電気的に接続され、絶縁被覆された電線５が接続される複数（例えば８枚）の端子板（ＩＤＣ端子）が立設されている。
【００１７】
ハウジング１は、その先端部に略直方体状の接続台１１を備えており、接続台１１の前面に上記プラグ挿入口１１ａが開口している。接続台１１の後面下部からは、端子台２が装着される基台１２が、後方へ連続一体に突設されている。
【００１８】
端子台２は、基台１２の上面側に配設されており、各端子板は端子台２の上面から突出するように、端子台２の左右両側部において４枚ずつ、前後方向に沿って配置されている。周知のように、各端子板２４は上縁に開放された圧接スリットを有するように、二股のフォーク状に形成されており、厚み方向が端子台２の左右方向に一致するように配置されている。圧接スリットの幅は、接続される電線５の芯線に圧接スリットの両側縁が圧接する程度に設定されている。そして、絶縁被覆を有する電線５を上方から圧接スリットに圧入すると、電線５の絶縁被覆が圧接スリットの両側縁で破断され、圧接スリットの中で芯線が端子板に圧接される。
【００１９】
端子台２の上面の両側部には、端子板の先端よりもさらに突出した複数の保護壁２３が形成されている。前後方向に隣り合う各一対の保護壁２３の対向面の略中央部には、それぞれ保持溝２３ｂが上下方向に沿って形成されており、端子板は保持溝２３ｂにより保持されている。それにより、端子板は、前後に隣り合う２つの保護壁２３によって保護され、圧接スリットは２つの保護壁２３の間に配置されている。前後方向に隣り合う各一対の保護壁２３の隙間は、電線５を挿入できるように、かつ圧接スリットの幅寸法に比べて広く設定されている。さらに、上部ほど上記隙間が広くなるように、各一対の保護壁２３の上端部には傾斜面が形成されている。そのため、ツイストペアケーブル４の各電線５を、それぞれ各一対の保護壁２３の隙間に容易に導入することができる。そして、各電線５を、それぞれ端子板の圧接スリットに上方から圧入することにより、電線５を端子板に電気的に接続することができる。また、端子台２の上面の中央部には、ツイストペアケーブル４のシース４ａを位置決めするための位置決め凹部２２が形成されている。また、端子台２の後端には、ツイストペアケーブル４を保持する保持突起２６が形成されている。
【００２０】
端子台２上の中央の各保護壁２３の外側面には、保護キャップ３と係合される係合爪２７が突設されている。また、係合爪２７の上部には、上端縁に近づくほど外側面からの突出量が小さくなるように傾斜した誘導面２７ａが形成されている。一方、保護キャップ３は、端子台２の上面を覆う程度の寸法に形成され、キャップ本体３１の両側部には、各保護壁２３の外側面に沿って嵌装される側壁３２がそれぞれ形成されている。側壁３２の前後方向の中央部には、係合爪２７と係合される矩形状の係合孔３２ａが形成されている。また、各側壁３２の係合孔３２ａの前後方向の両側には、下縁が開放された切込溝３２ｂが形成されていると共に、切込溝３２ｂよりも係合孔３２ａから離れた位置に、上縁が開放された切込溝３２ｃが形成されている。このような構成により、側壁３２のうち、係合孔３２ａを挟むように形成された切込溝３２ｂと３２ｃ間の部位が撓みやすくなる。さらに、各側壁３２の切込溝３２ｃ間の上端縁には、操作部３３が形成されており、キャップ本体３１の両側部近傍には、操作部３３を囲むように切欠３１ａが形成されている。各操作部３３に、それぞれ切欠３１ａ側に撓ませるように力を加えると、切込溝３２ｂと３２ｃ間の部位が撓み、係合孔３２ａを取り囲む部分が変形する。すなわち、側壁３２の前後方向の中央部には、係合孔３２ａを取り囲むようにして、端子台２と係合されるための係合部３２ｄが形成されている。
【００２１】
保護キャップ３を端子台２に取り付ける場合、側壁３２を端子台２の保護壁２３の外側面に沿うようにして、端子台２の上方から下方に向けて保護キャップ３を移動させると、係合部３２ｄが係合爪２７の誘導面２７ａに当接して撓み、係合部３２ｄに設けられた係合孔３２ａと係合爪２７とが係合される。それにより、保護キャップ３が端子台２に係合される。保護キャップ３を端子台２から取り外す場合、各操作部３３に力を加えて切欠３１ａ側に撓ませ、その状態で保護キャップ３を上方に引き上げる。それにより、係合爪２７と係合孔３２ａとの係合が解除され、端子台２から保護キャップ３を取り外すことができる。
【００２２】
次に、本発明の第１実施形態に係るモジュラジャックの保護キャップ取り外し工具（以下、単に保護キャップ取り外し工具と略称する）について、図４〜図１０を参照しつつ説明する。図４は、第１実施形態に係る保護キャップ取り外し工具５０の構成を示すと共に、保護キャップ取り外し工具５０をモジュラジャック１０の保護キャップ３に装着する前の状態を示す。図５〜図８は、それぞれ保護キャップ取り外し工具５０を用いて、モジュラジャック１０の端子台２から保護キャップ３を取り外す手順を示す。また、図９は、保護キャップ取り外し工具５０を保護キャップ３に装着する前の状態を示す。さらに、図１０は、保護キャップ取り外し工具５０を保護キャップ３に装着した後の状態を示す。
【００２３】
図４〜図８に示すように、保護キャップ取り外し工具５０は、作業者がその手のひらに握れる程度の大きさのグリップ４０の一端に形成されており、グリップ４０の他端には、上記ツイストペアケーブル４の電線５を端子板の圧接スリットに圧入させるための圧入工具６０が形成されている。グリップ４０は、例えば樹脂成形により保護キャップ取り外し工具５０及び圧入工具６０と共に一体成形されている。なお、圧入工具６０は本発明とは直接関係がないので、その説明を省略する。
【００２４】
保護キャップ取り外し工具５０は、保護キャップ３の前端面に当接される前壁５１と、保護キャップ３の両側壁３２に当接される側壁５２と、グリップ４０の内側に形成された天井面５３で構成されている。保護キャップ取り外し工具５０の前壁５１は、モジュラジャック１０の端子台２に嵌装された保護キャップ３の上から、さらに保護キャップ取り外し工具５０を装着させる際のガイドとして機能する。
【００２５】
図９に示すように、各側壁５２の対向面の先端から中央部近傍にかけて、天井面５３に近づくにつれて互いの間隔が狭くなるように、第１傾斜面５２ａが形成されている。また、各側壁５２の対向面の中央部近傍から終端にかけて、同様に天井面５３に近づくにつれて互いの間隔が狭くなるように、かつ、第１傾斜面５２ａ同士の間隔よりは広くなるように、第２傾斜面５２ｂが形成されている。すなわち、第２傾斜面５２ｂを基準すると、第１傾斜面５２ａは第２傾斜面５２ｂよりも内側に突出していることになる。第１傾斜面５２ａ同士の間隔で最も狭い部分の寸法Ｌ１は、保護キャップ３の操作部３３間の最大幅Ｌ２よりも狭くなるように設定されている。また、保護キャップ３の操作部３３には、それぞれ滑り止めを兼ねた突起３３ａが形成されている。なお、図４から明らかなように、第１傾斜面５２ａは、保護キャップ３の操作部３３の近傍に対応する部分にのみ形成されている。
【００２６】
次に、保護キャップ取り外し工具５０を用いてモジュラジャック１０の端子台２から保護キャップ３を取り外す手順について説明する。まず、図４に示すように、モジュラジャック１０の端子台２に嵌装された保護キャップ３とグリップ４０の一端に形成された保護キャップ取り外し工具５０とを対向させる。そして、その状態のまま、モジュラジャック１０とグリップ４０とを互いに接近させ、保護キャップ３に、その外側から保護キャップ取り外し工具５０を装着させる。その際、保護キャップ取り外し工具５０の各側壁５２の第１傾斜面５２ａが、それぞれ保護キャップ３の操作部３３に当接し、その傾斜に応じて、徐々に操作部３３を弾性変形させる。保護キャップ取り外し工具５０の各側壁５２の第１傾斜面５２ａが、それぞれ保護キャップ３の操作部３３の突起３３ａを乗り越えると、図５に示すように、保護キャップ３に保護キャップ取り外し工具５０が装着される。
【００２７】
そのとき、図１０に示すように、保護キャップ３の操作部３３の突起３３ａは、保護キャップ取り外し工具５０の側壁５２の第２傾斜面５２ｂに対向する位置にあり、第２傾斜面５２ｂに対して突出した第１傾斜面５２ａのエッジが、突起３３ａと係合するフックとして機能する。そのため、保護キャップ３を保護キャップ取り外し工具５０に対して、図１０中下側に引っ張ったとしても、突起３３ａとフックとして機能する第１傾斜面５２ａのエッジとの係合は外れない。また、保護キャップ３の操作部３３は、端子台２上の保護壁２３の外側面に形成された係合爪２７（図１又は図２参照）が保護キャップ３の側壁３２の係合孔３２ａから離脱可能な程度に変形されている。なお、その際、上記端子台２上の係合爪２７と保護キャップ３の側壁３２の係合孔３２ａとは完全に離れている必要はなく、保護キャップ３をモジュラジャック１０の端子台２から容易に取り外すことができる程度に、両者の係合量が少なくなっていればよい。なお、保護キャップ取り外し工具５０の側壁５２の弾性は、保護キャップ３の側壁３２の弾性よりも低い（硬い）。
【００２８】
図５に示すように保護キャップ取り外し工具５０がモジュラジャック１０の端子台２に嵌装された保護キャップ３にさらに装着された状態において、作業者が一方の手でモジュラジャック１０のハウジング１を保持し、他方の手でグリップ４０を握り、モジュラジャック１０とグリップ４０とを引き離そうとすると、上記端子台２上の係合爪２７と保護キャップ３の側壁３２の係合孔３２ａとの係合が外れ、図６に示すように、保護キャップ３がモジュラジャック１０の端子台２から取り外される。
【００２９】
なお、上記のように、保護キャップ取り外し工具５０が保護キャップ３に装着された状態では、保護キャップ３を保護キャップ取り外し工具５０に対して、図１０中下側に引っ張ったとしても、保護キャップ３を保護キャップ取り外し工具５０から取り外すことはできない。そこで、図７に示すように、保護キャップ３を保護キャップ取り外し工具５０の天井面５３に沿って前壁５１とは反対側にスライドさせる。そうすると、図８に示すように、保護キャップ３の操作部３３が、保護キャップ取り外し工具５０の側壁５２から離れ、保護キャップ３を保護キャップ取り外し工具５０から取り外すことができる。
【００３０】
このように、本発明の第１実施形態に係る保護キャップ取り外し工具５０によれば、保護キャップ取り外し工具５０を保護キャップ３に装着すると、各側壁５２の対向面に形成された第１傾斜面５２ａが保護キャップ３の側壁３２に形成された操作部３３に当接し、端子台２上の係合爪２７と保護キャップ３の側壁３２の係合孔３２ａとの係合が外れるように、操作部３３を弾性変形させる。そのため、きわめて簡単な操作により保護キャップ３をモジュラジャック１０の端子台２から取り外すことができる。また、保護キャップ取り外し工具５０がグリップ４０の一端に形成されているので、比較的小さい操作力で保護キャップ３をモジュラジャック１０の端子台２から取り外すことができる。さらに、保護キャップ取り外し工具５０は、圧入工具６０と共にグリップ４０に一体的に樹脂成形により形成されているので、保護キャップ取り外し工具５０を安価に提供することができる。
【００３１】
次に、本発明の第２実施形態に係るモジュラジャックの保護キャップ取り外し工具について、図１１及び図１２を参照しつつ説明する。図１１は、第２実施形態に係る保護キャップ取り外し工具７０を保護キャップ３に装着する前の状態を示す。また、図１２は、保護キャップ取り外し工具７０を保護キャップ３に装着した後の状態を示す。
【００３２】
図１１及び図１２から明らかなように、保護キャップ取り外し工具７０はクリップ状であって、中心軸７１により軸支されると共に、正面視略対称に配置された一対のクリップ部材７２と、各クリップ部材７２の先端部近傍の係合部７３を互いに当接する方向に付勢するねじりばね７４などで構成されている。中心軸７１から各クリップ部材７２の係合部７３のフック部７３ａまでの距離は、保護キャップ３の幅方向寸法の１／２よりも若干長くなるように設定されている。
【００３３】
この保護キャップ取り外し工具７０を用いてモジュラジャック１０の端子台２から保護キャップ３を取り外す場合、各クリップ部材７２の後端近傍の操作部７５を指で挟み、互いに近づける方向に加圧する。各クリップ部材７２の係合部７３のフック部７３ａの間を保護キャップ３の幅方向寸法よりも広くした状態で、フック部７３ａの間にモジュラジャック１０の端子台２に嵌装された保護キャップ３を位置させる。そして、各クリップ部材７２の操作部７５から指を離すと、ばね７４の弾性力により各クリップ部材７２の係合部７３が互いに近づく方向に回転する。そして、図１２に示すように、各クリップ部材７２の係合部７３のフック部７３ａが、保護キャップ３の操作部３３に形成された突起３３ａに係合する。ばね７４の付勢力は、クリップ部材７２及びそのフック部７３ａを介して保護キャップ３の操作部３３に伝達され、保護キャップ３の操作部３３は、端子台２上の保護壁２３の外側面に形成された係合爪２７が保護キャップ３の側壁３２の係合孔３２ａから離脱可能な程度に変形される。
【００３４】
保護キャップ取り外し工具７０がモジュラジャック１０の端子台２に嵌装された保護キャップ３にさらに装着された状態において、作業者が一方の手でモジュラジャック１０のハウジング１を保持し、他方の手で保護キャップ取り外し工具７０の操作部７５を掴み、モジュラジャック１０と保護キャップ取り外し工具７０とを引き離そうとすると、端子台２上の係合爪２７と保護キャップ３の側壁３２の係合孔３２ａとの係合が外れ、保護キャップ３がモジュラジャック１０の端子台２から取り外される。
【００３５】
このように、第２実施形態に係る保護キャップ取り外し工具７０によっても、上記第１実施形態の場合と同様に、きわめて簡単な操作により保護キャップ３をモジュラジャック１０の端子台２から取り外すことができる。また、保護キャップ取り外し工具７０の構成はきわめて簡単であるので、保護キャップ取り外し工具７０を安価に提供することができる。
【００３６】
次に、本発明の第３実施形態に係るモジュラジャックの保護キャップ取り外し工具について、図１３及び図１４を参照しつつ説明する。図１３は、第３実施形態に係る保護キャップ取り外し工具８０を保護キャップ３に装着する前の状態を示す。また、図１４は、保護キャップ取り外し工具８０を保護キャップ３に装着した後の状態を示す。
【００３７】
図１３及び図１４から明らかなように、保護キャップ取り外し工具８０は、略Ｕ状断面を有し、略Ｕ状を成す脚８１の先端の内周面が外周面よりも突出するように、その先端に傾斜面８２が形成されている。保護キャップ取り外し工具８０の各脚８１の内周面間の寸法Ｌ３は、モジュラジャック１０の端子台２の係合爪２７が突出している面間の幅と略同じであり、各脚８１の高さは、モジュラジャック１０の端子台２の底面から係合爪２７の下面までの高さよりも高くなるように設定されている。
【００３８】
この保護キャップ取り外し工具８０を用いてモジュラジャック１０の端子台２から保護キャップ３を取り外す場合、各脚８１がそれぞれ端子台２の底面から係合爪２７に対向するように、モジュラジャック１０の下方に保護キャップ取り外し工具８０を配置する。その状態で、各脚８１の内周面８１ａが端子台２の保護壁２３の外側面に沿うように、保護キャップ取り外し工具８０を上方に移動させると、各脚８１の先端の傾斜面８２が、端子台２に嵌装されている保護キャップ３の側壁３２の下端面に当接する。さらに保護キャップ取り外し工具８０を上方に移動させると、各脚８１の先端が傾斜面８２によって楔状になっているため、端子台２の保護壁２３の外側面と保護キャップ３の側壁３２との間に割り込み、係合爪２７が保護キャップ３の側壁３２の係合孔３２ａから離脱可能な程度に、保護キャップ３の側壁の係合孔３２ａの近傍及び操作部３３を変形させる。その状態で、保護キャップ３と端子台２の隙間に爪の先などを入れると、保護キャップ３がモジュラジャック１０の端子台２から容易に取り外される。
【００３９】
このように、第３実施形態に係る保護キャップ取り外し工具８０によっても、上記第１又は第２実施形態の場合と同様に、きわめて簡単な操作により保護キャップ３をモジュラジャック１０の端子台２から取り外すことができる。また、保護キャップ取り外し工具８０の構成はきわめて簡単であるので、保護キャップ取り外し工具７０を安価に提供することができる。
【００４０】
なお、本発明は、上記各実施形態に限定されるものではなく、保護キャップ３が端子台２に嵌装された状態で保護キャップ３に装着される保護キャップ取り外し工具であって、保護キャップ３と端子台２の係合部（係合爪２７と係合孔３２ａ）の係合を解除させるように、保護キャップ３側の側壁３２のいずれかの部分に当接し、側壁３２の係合部近傍を弾性変形させるための当接部を備えていればよい。
【図面の簡単な説明】
【００４１】
【図１】モジュラジャックの構成を示す斜視図。
【図２】上記モジュラジャックの端子部の結線状態を示す斜視図。
【図３】上記モジュラジャックの保護キャップの構成を示す斜視図。
【図４】本発明の第１実施形態に係る保護キャップ取り外し工具の構成を示すと共に、保護キャップ取り外し工具をモジュラジャックの保護キャップに装着する前の状態を示す斜視図。
【図５】第１実施形態に係る保護キャップ取り外し工具を用いてモジュラジャックの端子台から保護キャップを取り外す一手順を示す斜視図。
【図６】上記保護キャップを取り外し手順の続きを示す斜視図。
【図７】上記保護キャップを取り外し手順の続きを示す斜視図。
【図８】上記保護キャップを取り外し手順の続きを示す斜視図。
【図９】第１実施形態に係る保護キャップ取り外し工具を保護キャップに装着する前の状態を示す正面断面図。
【図１０】第１実施形態に係る保護キャップ取り外し工具を保護キャップに装着した後の状態を示す正面断面図。
【図１１】第２実施形態に係る保護キャップ取り外し工具を保護キャップに装着する前の状態を示す正面部分断面図。
【図１２】第２実施形態に係る保護キャップ取り外し工具を保護キャップに装着した後の状態を示す正面部分断面図。
【図１３】第３実施形態に係る保護キャップ取り外し工具をモジュラジャック及び保護キャップに装着する前の状態を示す正面部分断面図。
【図１４】第３実施形態に係る保護キャップ取り外し工具をモジュラジャック及び保護キャップに装着した後の状態を示す正面部分断面図。
【符号の説明】
【００４２】
１  ハウジング
２  端子台
３  保護キャップ
１０  モジュラジャック
５０  モジュラジャックの保護キャップ取り外し工具
５１  前壁
５２  側壁
５３  天井面
７０  モジュラジャックの保護キャップ取り外し工具
７１  中心軸
７２  クリップ部材
７３  係合部
７３ａ  フック部
７４  ばね
７５  操作部
８０  モジュラジャックの保護キャップ取り外し工具
８１  脚
８２  傾斜面
【図１】
2006210076.tif 000003
【図２】
2006210076.tif 000004
【図３】
2006210076.tif 000005
【図４】
2006210076.tif 000006
【図５】
2006210076.tif 000007
【図６】
2006210076.tif 000008
【図７】
2006210076.tif 000009
【図８】
2006210076.tif 000010
【図９】
2006210076.tif 000011
【図１０】
2006210076.tif 000012
【図１１】
2006210076.tif 000013
【図１２】
2006210076.tif 000014
【図１３】
2006210076.tif 000015
【図１４】
2006210076.tif 000016